(57)【要約】【課題】バックライトに実装される冷陰極蛍光管の暗黒開始時間を安定して短縮し、省エネルギーで、且つ高品位の表示画像が長期間に亘って得られる液晶表示装置を提供する。【解決手段】内部に希ガス及び水銀が封入された透光性のガラス管ＶＡＬと、このガラス管ＶＡＬの両端部に対向して封入配置された一対の冷陰極ＥＬＥと、この冷陰極ＥＬＥに一端が接続し他端が当該ガラス管外に気密封止して導出されたインナーＩＬＥ及びアウターリードＯＬＥを備えた冷陰極蛍光管ＣＣＦＬで、前記冷陰極ＥＬＥの内底面から対向する冷陰極ＥＬＥ方向に延在し、かつスパッタ源となる導電体ＳＳＭを配置した。【選択図】図３
2008066101.tif 000002
【特許請求の範囲】
【請求項１】
内面に画素形成用の電極を有する一対の透光性基板の間に液晶層を挟持して構成された液晶表示パネルと、
前記液晶表示パネルに照明光を照射する少なくとも１本の冷陰極蛍光管を有するバックライトと、
前記液晶表示パネルと前記バックライトとの間に介挿された光学補償シートと、
前記液晶表示パネル及び前記バックライトを収容するフレームと、
を備えた液晶表示装置であって、
前記冷陰極蛍光管は、内部に希ガス及び水銀が封入された透光性のガラス管と、
前記ガラス管壁に配置された蛍光体層と、
前記ガラス管の両端部に対向して封入配置された一対の冷陰極と、
前記冷陰極に一端が接続し他端が前記ガラス管外に気密封止して導出された給電用リード線と、
前記冷陰極の内底面から対向する冷陰極方向に延在しスパッタ源となる導電体とを備えたことを特徴とする液晶表示装置。
【請求項２】
前記導電体を前記冷陰極の底部を貫通し対向する冷陰極側へ延在した前記給電用リード線の一部で構成したことを特徴とする請求項１に記載の液晶表示装置。
【請求項３】
前記導電体は前記冷陰極に固定された支持体を介して固定されていることを特徴とする請求項１に記載の液晶表示装置。
【請求項４】
前記導電体を略管軸上に配置したことを特徴とする請求項１乃至３の何れかに記載の液晶表示装置。
【請求項５】
前記導電体の先端部分の管軸に直交する断面積を、前記給電用リード線の前記冷陰極の底部に接する部位の断面積より小としたことを特徴とする請求項１乃至４の何れかに記載の液晶表示装置。
【請求項６】
前記導電体の先端部分の管軸に直交する断面径をＤ1、前記冷陰極の内径をＤ3としたとき、Ｄ1＝（０．１〜０．６）Ｄ3の関係を有することを特徴とする請求項１乃至５の何れかに記載の液晶表示装置。
【請求項７】
前記導電体の延在方向の長さをＬ1、前記冷陰極の管軸に平行方向の長さをＬ2としたとき、Ｌ1＝（０．１〜０．８）Ｌ2の関係を有することを特徴とする請求項１乃至６の何れかに記載の液晶表示装置。
【請求項８】
前記導電体を前記給電用リード線及び前記冷陰極と異なる材料から構成したことを特徴とする請求項１乃至７の何れかに記載の液晶表示装置。
【請求項９】
冷陰極蛍光管の給電用リード線に接続する接続端子を有する照明器具と、前記照明器具に装着された前記冷陰極蛍光管とを備えたことを特徴とする請求項１乃至８の何れかに記載の液晶表示装置に用いる照明装置。
【発明の詳細な説明】
【技術分野】
【０００１】
本発明は、光源として冷陰極蛍光管を用いたバックライトを備えた液晶表示装置及び照明装置に係わり、特に冷陰極蛍光管の管構造に関するものである。
【背景技術】
【０００２】
非発光型である液晶表示パネルを用いた画像表示装置では、当該液晶表示パネルに形成された電子潜像を外部照明手段を設けることにより、可視化させている。外部照明手段には自然光を利用する構造を除いて液晶表示パネルの背面または前面に照明装置を設置している。特に高輝度を要する表示デバイスには、液晶表示パネルの背面に照明装置を設けた構造が主流となっている。これをバックライトと称している。
【０００３】
バックライトには、大別してサイドエッジ型と直下型とがある。サイドエッジ型は、透明板からなる導光板の側縁部に沿って冷陰極蛍光管に代表される線状光源を設置した構造であり、パソコン用等の薄型化が要求される表示デバイスに多く用いられている。一方、ディスプレーモニタまたはテレビ受像機に用いられる表示デバイス等の大型サイズの液晶表示装置では、直下型が多く用いられる。直下型バックライトは、液晶表示パネルの背面側直下に照明装置を設置する構造である。
【０００４】
図１１は液晶表示装置のバックライトとして用いられる冷陰極蛍光管ＣＣＦＬの一例の全体構成を示す模式断面図、図１２は図１１の一部切欠拡大断面図である。
【０００５】
図１１及び図１２に示す冷陰極蛍光管ＣＣＦＬは、外套管とも称される透光性のガラス管ＶＡＬの両端内部には一対の冷陰極ＥＬＥが対向して配置され、希ガス及び水銀が封入されて構成されている。また、ガラス管ＶＡＬの内壁面には希土類蛍光体からなる蛍光体膜ＦＬＵが被着形成されている。一対の冷電極ＥＬＥは、例えばニッケル材をプレス成形法によりカップ状に形成し、その開口端部が主放電領域に向き、その後端部にはガラスの熱膨張率に近似する例えばニッケル（Ｎｉ）−コバルト（Ｃｏ）−鉄（Ｆｅ）合金などからなるインナーリードＩＬＥを突き合わせて例えば抵抗溶接法などにより接合されて電気的に接続されている。カップ状の冷陰極ＥＬＥは、その内壁面に例えば酸化アルミニウム（Ａｌ2Ｏ3）を焼結させて形成されたスパッタ源ＡＳＰが形成されている。
【０００６】
また、このインナーリードＩＬＥは、ガラスビーズＧＢＥに支持されてガラス管ＶＡＬに内外部を気密状態に封着されている。ガラスビーズＧＢＥは、ガラス管ＶＡＬの両端部に溶着させてガラス管ＶＡＬを封止切りし、外部に突出した一対のインナーリードＩＬＥには例えばニッケル材等からなるアウターリードＯＬＥにレーザ溶接方法等により接合されて電気的に接続されている。この一対のアウターリードＯＬＥには図示しない電源回路に接続されて対向する冷電極ＥＬＥに点灯電力が供給される。
【０００７】
このように構成された冷陰極蛍光管に関して、表示パネルのバックライト装置に実装される冷陰極蛍光管で長時間安定した発光特性が得られる電子放出性電極を備えた冷陰極蛍光管が特許文献１に開示されている。又、液晶表示装置に用いられる冷陰極放電管の電極部の電圧降下損失及び管壁温度上昇を抑えて高輝度発光を可能とした冷陰極放電管及びそれを実装した液晶表示装置が特許文献２に開示されている。
【特許文献１】特開平１１−２７３５５３号公報
【特許文献２】特開平９−１６００２３号公報
【発明の開示】
【発明が解決しようとする課題】
【０００８】
特許文献２の図３にその構成の一例を示すような従来の液晶表示装置において、当該装置のバックライトに用いられる冷陰極蛍光管は、冷陰極の先端近傍のガラス管内壁面に導電性膜を予め塗布配置するか、或いは図１２で説明した冷陰極内壁面に例えば酸化アルミニウムを焼結させて予め被着したスパッタ源を配置すること等により冷陰極蛍光管の暗黒始動時間を安定して短くする構成が採られている。
【０００９】
ところが、ガラス管内壁面に導電性膜を予め塗布配置する構成では、製造工程中に膜の剥落の恐れがあり、又、冷陰極内壁面にスパッタ源を予め配置した構成では、剥落の恐れに加え、均質な膜構成が得られ難い問題があり、その解決が求められている。
【００１０】
したがって、本発明は前述した従来の課題を解決するためになされたものであり、その目的は、冷陰極蛍光管の暗黒始動時間を安定して短くすることにある。
【課題を解決するための手段】
【００１１】
このような目的を達成するために本発明による液晶表示装置は、内面に画素形成用の電極を有する一対の透明基板の間に液晶層を挟持して構成された液晶表示パネルと、この液晶表示パネルに照明光を照射する少なくとも１本の冷陰極蛍光管を有するバックライトと、液晶表示パネルとバックライトとの間に介挿された光学補償シート積層体と、液晶表示パネル及びバックライトを収容するフレームとを備え、冷陰極蛍光管が内部に希ガス及び水銀が封入された透光性のガラス管と、このガラス管の両端部に対向して封入配置された一対の冷陰極と、この冷陰極に一端が接続し他端が当該ガラス管外に気密封止して導出された給電用リード線と、前記冷陰極の内底面から対向する冷陰極方向に延在しスパッタ源となる導電体とを備えた構成することにより、冷陰極蛍光管の暗黒始動時間を安定して短くすることができる。
【００１２】
又、本発明による照明装置は、冷陰極蛍光管の給電用リード線に接続する接続端子を有する照明器具と、この照明器具に装着された冷陰極蛍光管とを備えた照明装置であって、この冷陰極蛍光管を内部に希ガス及び水銀が封入された透光性のガラス管と、このガラス管の両端部に対向して封入配置された一対の冷陰極と、この冷陰極に一端が接続し他端が当該ガラス管外に気密封止して導出された給電用リード線と、前記冷陰極の内底面から対向する冷陰極方向に延在するスパッタ源となる導電体とを備えた構成することにより、冷陰極蛍光管の暗黒始動時間を安定して短くすることができる。
【発明の効果】
【００１３】
本発明の液晶表示装置によれば、バックライトを構成する冷陰極蛍光管のスパッタ源確保の信頼性向上と暗黒始動時間の安定と短縮の両立が可能となり、当該バックライトの実装により、省エネルギーで、且つ高品位の表示画像が長期間に亘って得られるという極めて優れた液晶表示装置が可能となる。
【００１４】
また、本発明の照明装置によれば、冷陰極蛍光管のスパッタ源確保の信頼性向上と、暗黒始動時間の安定と短縮の両立が実現可能となり、高品位で信頼性の高い照明装置を提供できる。
【発明を実施するための最良の形態】
【００１５】
以下、本発明の具体的な実施の形態について、実施例の図面を参照して詳細に説明する。以下の説明中に参照する図面において、同一機能を有するものは同一の参照符号を付してある。
【実施例１】
【００１６】
図１は、本発明に係る液晶表示装置の実施例１の構成を説明するための模式断面図である。また、図２は、図１に示した液晶表示装置の模式的展開斜視図である。
【００１７】
図１及び図２において、液晶表示装置は液晶表示パネルＬＣＤとバックライトＢＫＬで構成される。液晶表示パネルＬＣＤは、画素形成用の電極（図示せず）を有する２枚の透光性ガラス基板の間に液晶層を封止している。一方のガラス基板（通常、アクティブ・マトリクス基板とも称する）の二辺は他方の基板（通常、カラーフィルタ基板とも称する）よりはみ出た構成とされており、このはみ出し部分に走査信号線駆動回路チップＧＣＨを搭載したフレキシブルプリント回路基板ＦＰＣ１と、データ信号線駆動回路チップＤＣＨを搭載したフレキシブルプリント回路基板ＦＰＣ２とが実装されている。
【００１８】
また、バックライトＢＫＬは、下フレームＤＦＬの内側に反射シートＲＦＳを敷き、その上方に複数本の冷陰極蛍光管ＣＣＦＬを平行に設置している。このバックライトＢＫＬの冷陰極蛍光管ＣＣＦＬの構成については後述する。下フレームＤＦＬは金属板で形成され、同じく金属板で形成した上フレームＵＦＬとの間に液晶表示パネルＬＣＤを光学補償シート積層体ＰＨＳと共に重ねて一体化する機能も有する。ここで、図２では上フレームＵＦＬは図示を省略してある。液晶表示パネルＬＣＤのサイズが大型になるに伴い、一般には冷陰極蛍光管ＣＣＦＬの長さが長くなる。冷陰極蛍光管ＣＣＦＬは直径の小さいガラス管で構成される蛍光灯であり、通常はゴムブッシュＧＢＳによる両端部支持により設置されている。
【００１９】
更に、図示したように照明装置として直下型バックライトを用いた液晶表示装置においては、バックライトＢＫＬの上部には複数種の光学補償シート群が設置される。この光学補償シート積層体ＰＨＳは、拡散板ＳＣＢと、第１拡散シートＳＣＳ１と、交差して配置された２枚のプリズムシートＰＲＺと、第２拡散シートＳＣＳ２と等を重ねて構成されている。前記直下型バックライトＢＫＬは、有底で側縁を有する下フレームＤＦＬの側縁に設けたサイドモールドと称する樹脂製の側部保持枠ＳＭＬＤを有し、この側部保持枠ＳＭＬＤに光学補償シート積層体ＰＨＳの周端を橋絡させて保持される。ここで、前記光学補償シートＰＨＳは拡散板単体の構成としても良い事は勿論である。
【００２０】
又、図示したように光学補償シート積層体ＰＨＳを保持したバックライトＢＫＬは、モールドフレームＭＬＤで液晶表示パネルＬＣＤと組み合わされた後、上フレームＵＦＬを被せ、この上フレームＵＦＬと下フレームＤＦＬとを図示しない係止部材で結合し、一体化して液晶表示装置が構成される。
【００２１】
図３は、前述した本発明の実施例１における液晶表示装置に実装された冷陰極蛍光管の構成例を示す一部切欠側面図である。また、図４は、図３の要部拡大断面図である。図３及び図４において、冷陰極蛍光管ＣＣＦＬは、透光性ガラス管ＶＡＬの内周面に蛍光体膜ＦＬＵが被着配置され、両端内部には一対の冷陰極ＥＬＥが対向して配置され、更に管内には希ガス及び水銀が封入されて構成されている。一対の冷電極ＥＬＥは、例えばニッケル材或いはモリブデン材等を例えばプレス成形法によりカップ状に形成し、その開口端部が主放電領域に向き、その後端部には前記ガラス管ＶＡＬの熱膨張率に近似する例えばニッケル−コバルト−鉄合金からなるインナーリードＩＬＥを突き合わせ、例えば抵抗溶接法などにより接合されて電気的に接続されている。カップ状の冷陰極ＥＬＥには、その内底面に例えばニッケル材から構成されてスパッタ源となる棒状の導電体ＳＳＭの一端側を固定し、他端側を対向する冷陰極ＥＬＥ方向に延在して配置してある。
【００２２】
前記導電体ＳＳＭは、冷陰極ＥＬＥと略同軸で配置され、前述の如く一端側を内底面に固定し、他端側を対向する冷陰極ＥＬＥ方向に延在して配置してある。この実施例１では、前記導電体ＳＳＭは棒状を呈し、その径Ｄ１はＤ１＝０．２ｍｍのニッケル材で形成した。このときの内底面からの延在長さＬ１は３ｍｍとした。一方、冷陰極ＥＬＥをモリブデン材で形成し、その内径Ｄ３を１．６ｍｍ、長さＬ２を６ｍｍとした。
【００２３】
前記導電体ＳＳＭの寸法は、冷陰極ＥＬＥの寸法との兼ね合いで設定すればよい。すなわち、径Ｄ１は、冷陰極ＥＬＥの内径Ｄ３との関係で設定され、Ｄ１＝（０．１〜０．６）Ｄ３の関係を有している。この関係の下、径Ｄ１は好ましくは（０．２）Ｄ３以上、更には（０．３〜０．６）Ｄ３がより実用的である。この径Ｄ１が（０．１）Ｄ３未満では管動作中に導電体ＳＳＭが消失してスパッタ源としての機能が損なわれる恐れがあり、叉（０．６）Ｄ３を超えると冷陰極ＥＬＥとの兼ね合いからスパッタ源としての効果が期待できない恐れがある。
【００２４】
又、冷陰極ＥＬＥ内底面から管軸と平行方向の延在長さＬ１は、冷陰極ＥＬＥの管軸と平行方向の長さＬ２との関係で設定され、Ｌ１＝（０．１〜０．８）Ｌ２の関係を有している。この関係の下、延在長さＬ１は好ましくは（０．２）Ｌ２以上、更には（０．４〜０．８）Ｌ２がより実用的である。
【００２５】
この延在長さＬ１が（０．１）Ｌ２未満では、管動作中に導電体ＳＳＭが消失してスパッタ源としての機能が損なわれる恐れがあり、叉（０．８）Ｌ２を超えると冷陰極ＥＬＥとの兼ね合いからスパッタ源としての効果が期待できない恐れがある。ここで、実施例１では前記径Ｄ１を、インナーリードＩＬＥの線径Ｄ２よりも細い設定とし、スパッタ効果のより一層の向上を図った。
【００２６】
このような構成の導電体ＳＳＭを備えた冷陰極蛍光管を、製造過程のランプエージング工程中に前記導電体ＳＳＭを含めて通電加熱し、導電体ＳＳＭからスパッタ物質を飛散させ、冷陰極ＥＬＥ近傍のガラス管内面に導電性物質膜を被着形成した。この導電性物質膜の被着形成の際、前記導電体ＳＳＭを管軸及び冷陰極ＥＬＥと略同軸に配置したことで前記導電性物質膜をガラス管内面に一層均等に被着でき、暗黒開始時間の短縮に寄与できた。
【実施例２】
【００２７】
図５は、本発明による液晶表示装置の実施例２に実装された冷陰極蛍光管の構成例を示す要部拡大模式断面図である。図５に要部を示す冷陰極蛍光管ＣＣＦＬは、インナーリードＩＬＥの一端側が冷陰極ＥＬＥの底面を貫通し、この内底面から対向する冷陰極ＥＬＥ側への延在部を導電体ＳＳＭとした構成である。この例ではインナーリードＩＬＥ及び冷陰極ＥＬＥを共にモリブデン材で構成した。
【００２８】
この図５に要部を示す冷陰極蛍光管ＣＣＦＬは、導電体ＳＳＭの径Ｄ１をインナーリードＩＬＥの線径Ｄ２と同一径とすると共に、最先端を面取りした構成としている。
【００２９】
図５に示す構成としたことで、冷陰極ＥＬＥとインナーリードＩＬＥとの固定工程で導電体ＳＳＭも同時に固定でき、作業工程の短縮と管軸との同軸性の向上が確保できる。
【実施例３】
【００３０】
図６は、本発明による液晶表示装置の実施例３に実装された冷陰極蛍光管の構成例を示す要部拡大模式断面図である。図６に示す冷陰極蛍光管ＣＣＦＬは、インナーリードＩＬＥの一端側が冷陰極ＥＬＥの底面を貫通し、この内底面から対向する冷陰極ＥＬＥ側への延在部を導電体ＳＳＭとした構成である。この例ではモリブデン材を用いた。インナーリードＩＬＥの一部を導電体ＳＳＭとする構成は前記実施例２と同様であるが、実施例３に実装された冷陰極蛍光管ＣＣＦＬは、導電体ＳＳＭの径Ｄ１をインナーリードＩＬＥの線径Ｄ２より細線としたものである。
【００３１】
図６に示す構成としたことで、冷陰極ＥＬＥとインナーリードＩＬＥとの固定工程で導電体ＳＳＭも同時に固定でき、作業工程の短縮と管軸との同軸性の向上が確保できる。更に、細線化したことによりスパッタ開始時間の短縮が図られる。
【実施例４】
【００３２】
図７は、本発明による液晶表示装置の実施例４に実装された冷陰極蛍光管の構成例を示す要部拡大模式断面図である。図７に示す冷陰極蛍光管ＣＣＦＬは、導電体ＳＳＭの一端側に支持板ＳＡＰを固定し、この支持板ＳＡＰを介して導電体ＳＳＭを冷陰極ＥＬＥの内底面に配置した構成である。この実施例では、導電体ＳＳＭ及び支持板ＳＡＰをニッケル材で構成し、冷陰極ＥＬＥをモリブデン材、インナーリードＩＬＥをニッケル−コバルト−鉄合金とした。
【００３３】
この図７に示す構成では、前述した図３、図４に示す冷陰極蛍光管ＣＣＦＬと同様な作用効果を奏すると共に、冷陰極ＥＬＥの内底面が前記支持板ＳＡＰで覆われるため、主放電による衝撃から前記内底面を遮蔽することが出来る。そして、前記内底面を含む冷陰極ＥＬＥの損傷を回避できる特徴も備えている。
【実施例５】
【００３４】
図８は、本発明による液晶表示装置の実施例５の構成を説明するための要部模式断面図である。図８において、この実施例５に示す液晶表示装置はノート型ＰＣの構成例を示す。図８に示す液晶表示装置は、液晶表示パネルＬＣＤの背面側にレンズシートＬＳと拡散シートＳＣＳとからなる光学補償シート積層体ＰＨＳを介在させ、その背面側に導光板ＧＬＢ及び反射シートＲＦＳを配置したバックライトＢＫＬをそれぞれ設置している。更に、実施例５における前記バックライトＢＫＬは、前記導光板ＧＬＢの一方の側縁部に前述の図３乃至図７の何れかに示すような構成の冷陰極蛍光管ＣＣＦＬを設置した所謂サイドエッジ型のものである。
【００３５】
前述した実施例１〜４においては、液晶表示パネルＰＮＬの背面側に複数の冷陰極蛍光管ＣＣＦＬを並列に配列した所謂直下型バックライトＢＫＬを備えた液晶表示装置について説明したが、本発明はこれら実施例１〜４の構造に限定されるものではなく、実施例５に示すように導光板ＧＬＢの一方の側縁部に冷陰極蛍光管ＣＣＦＬを設置した所謂サイドエッジ型の構成についても適用できることは勿論である。
【実施例６】
【００３６】
図９は、本発明による液晶表示装置の実施例６の構成を説明するための要部模式断面図である。図９において、実施例６に示す液晶表示装置は、例えば液晶カーナビゲーション、デジタルメディア対応モニタ、医療用液晶モニタ、印刷／デザイン用液晶モニタ等のＰＣモニタの構成例を示す。図９に示す液晶表示装置は、液晶表示パネルＬＣＤの背面側にプリズムシートＰＲＺと拡散シートＳＣＳとからなる光学補償シート積層体ＰＨＳを介在させ、その背面側に導光板ＧＬＢ及び反射シートＲＦＳを配置したバックライトＢＫＬをそれぞれ設置している。
【００３７】
更に、実施例６における前記バックライトＢＫＬは、前記導光板ＧＬＢの両側縁部に前述の図３乃至図７の何れかに示すような構成の冷陰極蛍光管ＣＣＦＬを設置した所謂サイドエッジ型のものである。
【００３８】
前述した実施例１〜４においては、液晶表示パネルＬＣＤの背面側に複数の冷陰極蛍光管ＣＣＦＬを並列に配列した所謂直下型バックライトＢＫＬを備えた液晶表示装置について説明したが、本発明はこの実施例１〜４の構造に限定されるものではなく、実施例６に示すように導光板ＧＬＢの両側縁部に冷陰極蛍光管ＣＣＦＬを設置した所謂サイドエッジ型の構成についても適用できることは勿論である。
【実施例７】
【００３９】
図１０は、本発明による液晶表示装置の実施例７の構成を説明するための要部模式断面図である。図１０において、実施例７に示す液晶表示装置は、液晶テレビ受像機の構成例を示す。図１０に示す液晶表示装置は、液晶表示パネルＬＣＤの背面側にレンズシートＬＳとプリズムシートＰＲＺと拡散シートＳＣＳと電磁遮蔽シートＥＣＳとからなる光学補償シート積層体ＰＨＳを介在させ、その背面側に反射シートＲＦＳを配置したバックライトＢＫＬをそれぞれ設置している。
【００４０】
更に、実施例７における前記バックライトＢＫＬは、前記光学補償シート積層体ＰＨＳの背面部に並列に前述の図３乃至図７の何れかに示すような構成の冷陰極蛍光管ＣＣＦＬを設置した所謂直下型のものである。
【００４１】
なお、本発明は上記構成に限定されるものではなく、本発明の技術思想を逸脱することなく、種々の変更が可能である。
【図面の簡単な説明】
【００４２】
【図１】本発明による液晶表示装置の実施例１を説明するための模式断面図である。
【図２】図１に示した液晶表示装置の模式的展開斜視図である。
【図３】本発明による液晶表示装置の実施例１に実装された冷陰極蛍光管の一部切欠模式側面図である。
【図４】図３に示した冷陰極蛍光管の要部拡大模式断面図である。
【図５】本発明による液晶表示装置の実施例２に実装された冷陰極蛍光管の要部拡大模式断面図である。
【図６】本発明による液晶表示装置の実施例３に実装された冷陰極蛍光管の要部拡大模式断面図である。
【図７】本発明による液晶表示装置の実施例４に実装された冷陰極蛍光管の要部拡大模式断面図である。
【図８】本発明による液晶表示装置の実施例５の構成を説明するための要部模式断面図である。
【図９】本発明による液晶表示装置の実施例６の構成を説明するための要部模式断面図である。
【図１０】本発明による液晶表示装置の実施例７の構成を説明するための要部模式断面図である。
【図１１】液晶表示装置のバックライトとして用いられる冷陰極蛍光管の全体構成を示す断面図である。
【図１２】図１１に示した冷陰極蛍光管の要部拡大断面図である。
【符号の説明】
【００４３】
ＬＣＤ・・・液晶表示パネル、ＳＣＢ・・・拡散板、ＳＣＳ・・・拡散シート、ＳＣＳ１・・・第１拡散シート、ＳＣＳ２・・・第２拡散シート、ＰＲＺ・・・プリズムシート、ＰＨＳ・・・光学補償シート積層体、ＧＬＢ・・・導光板、ＲＦＳ・・・反射シート、ＵＦＬ・・・上フレーム、ＤＦＬ・・・下フレーム、ＢＫＬ・・・バックライト、ＣＣＦＬ・・・冷陰極蛍光管、ＶＡＬ・・・ガラス管、ＦＬＵ・・・蛍光体膜、ＥＬＥ・・・冷電極、ＩＬＥ・・・インナーリード、ＧＢＥ・・・ガラスビーズ、ＯＬＥ・・・アウターリード、ＳＳＭ・・・導電体、ＳＡＰ・・・支持板。
【図１】
2008066101.tif 000003
【図２】
2008066101.tif 000004
【図３】
2008066101.tif 000005
【図４】
2008066101.tif 000006
【図５】
2008066101.tif 000007
【図６】
2008066101.tif 000008
【図７】
2008066101.tif 000009
【図８】
2008066101.tif 000010
【図９】
2008066101.tif 000011
【図１０】
2008066101.tif 000012
【図１１】
2008066101.tif 000013
【図１２】
2008066101.tif 000014